【事件の表示】
　平成１０年特許願第３４３８７０号「電子写真感光体の製造方法及び該方法によって得られた電子写真感光体」拒絶査定不服審判事件〔平成１２年６月２３日出願公開、特開２０００−１７１９９２〕について、次のとおり審決する。
【結　論】
　本件審判の請求は、成り立たない。
【理　由】
１．手続の経緯
　本願は、平成１０年１２月３日の出願であって、平成１７年７月１３日付けで拒絶査定がなされ、これに対し、平成１７年８月１８日に拒絶査定に対する審判請求がなされるとともに、同年９月１６日付けで手続補正がなされたものである。
　
２．平成１７年９月１６日付けの手続補正についての補正却下の決定
［補正却下の決定の結論］
　平成１７年９月１６日付けの手続補正を却下する。
［理由］
（１）補正の内容
　本件補正により、特許請求の範囲の請求項３は、
「【請求項３】前記非対称ジスアゾ顔料が下記一般式（ＩＩ）で示される化合物であり、前記塗工液が前記非対称ジスアゾ顔料と前記τ型無金属フタロシアニン顔料を脂肪族ケトン溶媒中に分散し、バインダー樹脂を前記環状ケトン溶媒及び前記脂肪族ケトン溶媒に溶解した樹脂液を添加し分散してなる塗工液であることを特徴とする請求項１又は２記載の電子写真感光体の製造方法。
」
と補正された。
　
（２）判断
　上記補正は、補正前の請求項３において引用する請求項１に「非対称ジスアゾ顔料及びフタロシアニン顔料を環状ケトン溶媒と脂肪族ケトン溶媒との混合溶媒中にて分散してなる塗工液」と特定されているところを、「非対称ジスアゾ顔料と前記τ型無金属フタロシアニン顔料を脂肪族ケトン溶媒中に分散し、バインダー樹脂を前記環状ケトン溶媒及び前記脂肪族ケトン溶媒に溶解した樹脂液を添加し分散してなる塗工液」であるとし、「フタロシアニン顔料」を「τ型無金属フタロシアニン顔料」に限定し、更に、塗工液の分散手順を特定したものである。
　しかしながら、塗工液の分散手順を特定する補正については、請求項１の塗工液は分散状態が特定されているだけであり、塗工液の分散手順については、発明の特定事項として記載されていないから、塗工液の分散手順を特定する補正は、補正前の請求項３で引用する請求項１の発明特定事項を限定するものでない。
　したがって、本件補正は特許請求の範囲の限定的減縮を目的としたものでない。また、明りょうでない記載の釈明、誤記の訂正を目的としたものでもない。
　
（３）むすび
　以上のとおり、本件補正は、平成１８年改正前特許法第１７条の２第４項の規定に違反するものであり、特許法第１５９条第１項で読み替えて準用する特許法第５３条第１項の規定により却下されるべきものである。
　
３．本願発明について
　平成１７年９月１６日付けの手続補正は上記のとおり却下されたので、本願の請求項１ないし９に係る発明は、平成１７年３月１４日付け手続補正書により補正された明細書の記載からみて、その特許請求の範囲の請求項１ないし９に記載された事項により特定されるとおりのものであり、請求項１に係る発明（以下、同項記載の発明を「本願発明」という。）は、以下のとおりのものである。
「電荷発生物質として少なくとも非対称ジスアゾ顔料及びフタロシアニン顔料を含有する感光層を有する電子写真感光体の製造方法において、少なくとも下記一般式（Ｉ）で示される非対称ジスアゾ顔料及びフタロシアニン顔料を環状ケトン溶媒と脂肪族ケトン溶媒との混合溶媒中にて分散してなる塗工液を用いて前記感光層を形成することを特徴とする電子写真感光体の製造方法。
」
　
（１）引用刊行物記載の発明
　原査定の拒絶の理由に引用された、本願出願前に頒布された刊行物である、刊行物１ないし刊行物３、及び刊行物５には下記の事項がそれぞれ記載されている。
　
（刊行物１：特開平８−１３４３６７号公報の記載事項）
(1a)「【請求項３】環状ケトン系溶媒と飽和炭化水素系溶媒の混合溶媒、環状ケトン系溶媒とエステル系溶媒の混合溶媒又は環状ケトン系溶媒と鎖状ケトン系溶媒の混合溶媒中で、１種以上のトリスアゾ顔料と１種以上のジスアゾ顔料を同時に粉砕混合処理することにより得られる顔料混合物。・・・
【請求項８】  請求項２又は３に記載の顔料混合物を有効成分として含有することを特徴とする感光層塗工液。」
(1b)「【００１０】しかしながら、上記トリスアゾ顔料とジスアゾ顔料の混合系においては同時混合粉砕する際に使用する分散媒によって増感現象の発
現が大きく異なるという問題があった。すなわち、Ａという溶媒で分散したときには増感がおこり、Ｂという溶媒で分散したときには増感しなかったといった問題である。
【００１１】【課題を解決するための手段】本発明者は、上記課題を解決すべく鋭意検討した結果、顔料を粉砕混合する際に、・・・環状ケトン系溶媒と鎖状ケトン系溶媒の混合溶媒中で、１種以上のトリスアゾ顔料と１種以上のジスアゾ顔料を同時に粉砕混合することにより増感効果が発現することを見いだし本発明を完成するに至った。」
(1c)「【００２３】この点を改良するためには、上記溶媒として・・・環状ケトン系溶媒と鎖状ケトン系溶媒の混合溶媒を使用することが、好ましい。これらの溶媒を使用することにより、増感効果が発現し、しかも分散安定性の良好な感光層塗工液を得ることができる。」
(1d)「【００２４】その理由については、明確にはわかっていないが、次のように推定される。すなわち・・・環状ケトン系溶媒と鎖状ケトン系溶媒の混合溶媒を使用した場合には、環状ケトン系溶媒が増感現象の発現に寄与し・・・鎖状ケトン系溶媒が良好な分散安定性に寄与すると考えられる。」
(1e)実施例４−１として、
（電荷発生層塗工液の調製）トリスアゾ顔料３０．０ｇ、ジスアゾ顔料１０．０ｇ、シクロヘキサノン１８０ｇ、２−ブタノン１８０ｇを１４日間ボールミリング（１次分散）を行い、その後、シクロヘキサノン３００ｇ、２−ブタノン３００ｇを追加し、２時間ボールミリング（２次分散）を行い得られたミルベースを、ポリビニルブチラール樹脂を溶解したシクロヘキサノンと２−ブタノンを用いて希釈し、固形分濃度２．４％、顔料／ブチラール樹脂比率＝３／１、シクロヘキサノン／２−ブタノン比率＝３／１になるように調製し、電荷発生層塗工液を得たこと、
　電荷発生層塗工液をアルミ板上にディッピング塗工して電荷発生層を作成し、電荷輸送層液を、前記電荷発生層上にディッピング塗工して電荷輸送層を形成し感光体を作成したことが記載されている。（【０１６７】〜【０１７０】
(1f)比較例４−２として、
（電荷発生層塗工液の調製）トリスアゾ顔料７．５ｇ、ジスアゾ顔料２．５ｇ、ポリビニルブチラール樹脂３．３３ｇ、シクロヘキサノン３９０ｇを１４日間ボールミリング（１次分散）を行い、その後、シクロヘキサノン６００ｇを追加し、２時間ボールミリング（２次分散）を行い、電荷発生層塗工液を得たこと。
　以上の電荷発生層液を、アルミ板上に塗工して電荷発生層を作成して電荷発生層上に電荷輸送層を形成し感光体を作成したことが記載されている。（【０１７７】〜【０１８１】）
(1g)【表２２】には、実施例４−１の環状ケトン系溶媒であるシクロヘキサノンと鎖状ケトン系溶媒である２−ブタノンの混合溶媒中で１種以上のトリスアゾ顔料と１種以上のジスアゾ顔料を同時に粉砕混合処理して作成した感光体、及び電荷発生層塗工液は、高感度且つ保存安定性に優れていることが示され、比較例４−２のシクロヘキサノンだけで分散したものは、感度は良いが、塗工液の保存安定性が悪いことが示されている。（【０１８３】【０１８４】）
　
（刊行物２：特開平７−１８１６９２号公報の記載事項）
(2a)「【請求項１】導電性基体上に、少なくとも電荷発生層と電荷輸送層を有する積層型電子写真感光体において、電荷発生層に、同一のアゾ顔料を溶解パラメーターの異なる２種類以上の溶媒を用いて別々に分散し、分散後、混合して電荷発生剤として用いたことを特徴とする電子写真感光体。
【請求項２】分散溶媒として、少なくともアルキルケトンおよび環状ケトンの両方を用いる請求項１の電子写真感光体。」
(2b)「【０００７】そして、特にフルオレノンを中心骨格とするアゾ顔料の場合、アルキルケトンで分散したものと環状ケトンで分散したものを用いると、高感度でしかも残留電位の上昇の少ない電子写真感光体が得られる。」
　
（刊行物３：特開平８−２９２５８４号公報）
(3a)「【００１９】実施例１
・・・下引き層を形成した。次に下記構造式（Ａ）のトリスアゾ顔料０．２５ｇ、ブチラール樹脂・・・０．１ｇ、シクロヘキサノン１１．７ｇをボールミリングで３日間分散した後、メチルエチルケトン１０ｇを加え更に１時間分散した。この溶液を前記下引き層上にスプレー塗工し・・・電荷発生層を形成した。次にシクロヘキサノンとテトラヒドロフランの混合溶媒に・・・電荷輸送層を形成し積層型の有機電子写真感光体を得た。」
　
（刊行物５：特開平８−２９９９８号公報）
(5a)「【請求項１】導電性支持体上に感光層を有する電子写真感光体において、前記感光層がτ型無金属フタロシアニン顔料と下記一般式（Ｉ）で表わされるジスアゾ顔料を含有することを特徴とする電子写真感光体。
（式中、Ａ、Ｂは構造が異なるカプラー残基を表わす。）」
(5b)「【０００４】【発明が解決しようとする課題】本発明の目的は、前記従来の問題点を解決するものである。したがって、本発明の目的は、可視域から近赤外域まで幅広くフラットな分光感度を有し、かつ極めて高感度である電子写真感光体を提供することにある。」
(5c)「【００２１】ここで用いられる溶剤としては・・・メチルエチルケトン、シクロヘキサノン・・・等があげられる。・・・電荷発生層塗布液としては、τ型無金属フタロシアニン顔料および前記一般式（Ｉ）で表わされるジスアゾ顔料を・・・これら２種の顔料を同時に粉砕あるいは混合、ミリング処理を行なって作成したものを電荷発生層塗布液としたほうが、作成した感光体はより高感度なものが得られるようになる。この理由については明らかではないが、粉砕あるいは混合、ミリング処理を行なうことにより、顔料間での相互作用が生じやすくなり、電荷発生効率が向上することにより感度が向上するものと考えられる。」
(5d)「【００４２】実施例４
・・・アルミ板上に中間層を形成した。次に、ブチラール樹脂（エスレックＢＬ−１；積水化学社製）３重量部をシクロヘキサノン１５０重量部に溶解し、これに例示化合物（１）−２４のジスアゾ顔料３．５重量部とτ型無金属フタロシアニン３．０重量部加え、ボールミルにより１２０時間分散した。さらにシクロヘキサノン３００重量部を加え３時間分散を行ない、電荷発生層用塗工液を作成した。こうして得られた電荷発生層用塗工液を、前記中間層上に塗布・・・電荷発生層を形成した。次に・・・電荷輸送層用塗工液を作成した。こうして得られた電荷輸送層用塗工液を前記電荷発生層上に塗布し・・・電荷輸送層を形成し、実施例４の電子写真感光体を得た。」
　
（２）対比
　上記刊行物５の記載事項（上記(5a)(5d)）から、刊行物５には、「導電性支持体上にτ型無金属フタロシアニン顔料とジスアゾ顔料を含有する感光層を有する電子写真感光体の製造方法であって、τ型無金属フタロシアニン顔料と下記一般式（Ｉ）で表わされるジスアゾ顔料をシクロヘキサノン中に分散した塗工液を用いて感光層を形成する電子写真感光体の製造方法。
」の発明（以下、「刊行物５発明」という。）が記載されているところ、本願発明と刊行物５発明とを比較する。
（ア）刊行物５発明の「τ型無金属フタロシアニン顔料」は、本願発明の「フタロシアニン顔料」の一種である。
（イ）刊行物５発明の一般式（Ｉ）のジスアゾ顔料は、Ａ、Ｂが構造が異なるカプラー残基であるから、「非対称ジスアゾ顔料」であり、本願発明の一般式（Ｉ）に包含される化合物である。
（ウ）刊行物５発明の「τ型無金属フタロシアニン顔料とジスアゾ顔料」は、電荷発生物質である。
（エ）刊行物５発明の「シクロヘキサノン」は、「環状ケトン溶媒」の一種であり、刊行物５発明も本願発明も、塗工液は顔料が溶媒中に分散している点で共通している。
　したがって、本願発明と刊行物５発明との間には、下記のような一致点及び相違点がある。
　
（一致点）
　電荷発生物質として少なくとも非対称ジスアゾ顔料及びフタロシアニン顔料を含有する感光層を有する電子写真感光体の製造方法において、少なくとも下記一般式（Ｉ）で示される非対称ジスアゾ顔料及びフタロシアニン顔料を溶媒中にて分散してなる塗工液を用いて前記感光層を形成する電子写真感光体の製造方法である点。
　
（相違点）
　溶媒が、本願発明では、環状ケトン溶媒と脂肪族ケトン溶媒との混合溶媒であるのに対して、刊行物５発明では、環状ケトンであるシクロヘキサノンの単独溶媒である点。
　
（３）判断
　上記相違点について検討する。
　刊行物１（上記(1a)(1c)(1d)）には、環状ケトン系溶媒と、鎖状ケトン系溶媒つまり脂肪族ケトン溶媒の混合溶媒中で、トリスアゾ顔料とジスアゾ顔料とを同時に粉砕混合処理した顔料混合物を含有する感光層塗工液が記載されている。そして、刊行物５には、フタロシアニン顔料とジスアゾ顔料を同時に粉砕あるいは混合、ミリング処理を行なって作成したものを電荷発生層塗布液としたほうが高感度な感光体が得られること、この理由として、粉砕あるいは混合、ミリング処理を行なうことにより、顔料間での相互作用が生じやすくなり、電荷発生効率が向上することにより感度が向上するものと考えられることが記載されており、刊行物５発明と刊行物１に記載されたものとは、顔料の種類は異なるものの、２種類の顔料を溶媒中で同時に粉砕混合処理する点で共通するものである。
　そして、アゾ顔料だけでなく、フタロシアニン顔料についても、電荷発生物質を分散させた感光層塗工液の溶媒として、脂肪族ケトン溶媒であるメチルエチルケトンと環状ケトン溶媒であるシクロヘキサノンを併用することは、刊行物２（ジスアゾ顔料）、刊行物３（トリスアゾ顔料）、特開昭６１−１４３７６２号公報（周知例１：ジスアゾ顔料、フタロシアニン顔料、第３頁右下欄第４行目〜第１３行目、第７頁右下欄第１６行目〜第８頁右上欄第１７行目の実施例２、第１１頁左下欄下から第４行目〜右下欄下から第５行目の実施例６）、特開昭５８−２０７０５０号公報（周知例２：フタロシアニン顔料、第１１頁右下欄第１行目〜第１２頁左上欄第９行目の実施例１）、特開平４−１２３０６２号公報（周知例３：ジスアゾ顔料、第６頁左上欄第３行目〜右上欄下から第７行目の実施例１、第７頁右上欄下から第７行目〜右下欄第２行目の実施例５）、特開平９−９０６５６号公報（周知例４：フタロシアニン顔料、【００３９】の実施例１）、特開平８−４４０８６号公報（周知例５：【００１３】【００１４】の実施例）にも記載されるように、周知技術である。
　そうすると、刊行物５発明の溶媒として、２種類の顔料を混合処理する溶媒として刊行物１に記載され、さらに上記のとおり、アゾ顔料或いはフタロシアニン顔料の塗工液の溶媒として、本願出願前に周知で汎用されていた、環状ケトン溶媒と脂肪族ケトン溶媒との混合溶媒を使用することは、当業者が容易になし得たものといえる。
　
（本願発明の効果について）
　本願発明の、保存により粘度が上昇しないという効果は、刊行物１（上記(1e)(1f)(1g)）に環状ケトン溶媒単独よりも、鎖状ケトン溶媒と併用したものが、保存後の粘度上昇が少ないことが記載されていることから、予測し得たものといえる。また、感度低下及び残留電位上昇が少ないという効果については、刊行物２（上記(2b)）に、本願明細書の実施例でアゾ顔料として用いられたものと同じ、フルオレノンを中心骨格とするアゾ顔料の場合、アルキルケトンで分散したものと環状ケトンで分散したものを用いると、高感度でしかも残留電位の上昇の少ない電子写真感光体が得られることが記載されていることから予測し得たものといえる。さらに、筋ムラ、濃度ムラといった塗工欠陥がないことは、上記周知例１等の周知技術から予測し得たものといえる。
　また、審判請求人が、請求の理由で追加データを示して主張する、光に対する耐久性は、本願明細書に記載された効果ではなく、新たな効果の主張であるため参酌することはできないし、追加データからでは、環状ケトンと脂肪族ケトンの重量比を規定していない本願請求項１に係る発明の効果ということもできない。
　
（４）むすび
　以上のとおり、本願請求項１に係る発明は、刊行物５、及び刊行物１ないし３に記載された発明、及び周知技術に基づいて当業者が容易に発明をすることができたものであるから、特許法第２９条第２項の規定により特許を受けることができないものである。
　したがって、請求項２ないし９に係る発明についての判断を示すまでもなく、本願は拒絶すべきものである。
　よって、結論のとおり審決する。